(57)【特許請求の範囲】
【請求項１】
配線ダクトに取り付けられる複数の取付部と、
複数の該取付部を回動操作するための操作部と、
を備える配線ダクト用プラグにおいて、
該取付部は、配線ダクトに係止するための爪部材と、該爪部材と一体的に回動する連動プレートと、を備え、
複数の該取付部の該連動プレート間を、連結部材で連結した
ことを特徴とする配線ダクト用プラグ。
【請求項２】
配線ダクトに係止可能とする第１取付部と第２取付部と、
該第１取付部と該第２取付部とを連動連結する棒状の連結部材と、
該第１取付部に取り付けられ、前記第１取付部と前記第２取付部とを同期させて回動操作するための操作部と、
を備える
ことを特徴とする配線ダクト用プラグ。
【請求項３】
前記配線ダクト用プラグの上部に、
前記配線ダクトの開口部に挿入される凸状の安定部を備え、
該安定部の内部に、前記第２取付部を配置する
ことを特徴とする請求項２に記載の配線ダクト用プラグ。
【発明の詳細な説明】
【技術分野】
【０００１】
本発明は、照明器具を配線ダクトに取り付けるための配線ダクト用プラグの技術に関する。
【背景技術】
【０００２】
従来から、照明器具を配線ダクトに取り付けるための配線ダクト用プラグの技術は公知となっている。例えば、特許文献１に記載の如くである。
前記技術の配線ダクト用プラグは、配線ダクトに沿って第１の取付部と第２の取付部を有し、第１の取付部と第２の取付部のいずれか一方に操作具を連結し、第１の取付部と第２の取付部にそれぞれギアを設け、ギアを噛合させることで、操作具の操作で第１の取付部と第２の取付部が連動して回動するように構成されている。このため、大型の重い照明器具であっても、第１の取付部と第２の取付部で確実に配線ダクトに取り付けられることにより、配線ダクトへの取付強度を十分に確保できるとともに、操作具の操作で、一度に両方の取付部の取り付けおよび取り外しができることにより、一方の取付部が取り外されて、取り付けられたままの他方の取付部に過大な外力が作用するということがないため、照明器具を安全に配線ダクトに取り付けることができる。
【特許文献１】特開平１１−３０７２１３号公報
【発明の開示】
【発明が解決しようとする課題】
【０００３】
しかし、照明器具またはその点灯装置の重量が重く、照明器具の全体的な重心のバランスが悪い場合には、第１の取付部と第２の取付部との取付間隔が短く配置されると、二つの取付部ではその重量に耐えることができないおそれがあった。そこで、第１の取付部と第２の取付部の取付間隔を長くすることで安定して支持することができるが、間隔を長くするには、ギアを大きくするか、あるいは、ギアの数を増やす必要があるが、ギアを大きくするとプラグ本体の幅も大きくなり、ギアを大きくするのには限界がある。また、ギアの数を増やすと部品点数が増え、組み立て工数も増えて、コストアップとなる。
【０００４】
本発明は以上の如き状況に鑑み、簡易な構成により、照明器具を確実に配線ダクトに取り付けることができる配線ダクト用プラグを提供する。
【課題を解決するための手段】
【０００５】
本発明の解決しようとする課題は以上の如くであり、次にこの課題を解決するための手段を説明する。
【０００６】
即ち、請求項１においては、配線ダクトに取り付けられる複数の取付部と、複数の該取付部を回動操作するための操作部と、を備える配線ダクト用プラグにおいて、該取付部は、配線ダクトに係止するための爪部材と、該爪部材と一体的に回動する連動プレートと、を備え、複数の該取付部の該連動プレート間を、連結部材で連結したものである。
【０００７】
請求項２においては、配線ダクトに係止可能とする第１取付部と第２取付部と、該第１取付部と該第２取付部とを連動連結する棒状の連結部材と、該第１取付部に取り付けられ、前記第１取付部と前記第２取付部とを同期させて回動操作するための操作部と、を備えるものである。
【０００８】
請求項３においては、前記配線ダクト用プラグの上部に、前記配線ダクトの開口部に挿入される凸状の安定部を備え、該安定部の内部に、前記第２取付部を配置するものである。
【発明の効果】
【０００９】
本発明の効果として、以下に示すような効果を奏する。
【００１０】
請求項１においては、照明器具の重量等に合わせて、複数の取付部の取付位置の間隔を変更しても、連結部材の長さを変更するだけで連動させることが可能となる。従来のギアによる場合は、複数の取付部の間隔が長くなれば、ギアが大きくなったり、ギアの数が増えたりするが、連結部材の長さを変更するだけで、同一部品を用いて連動させることが可能となる。
【００１１】
請求項２においては、照明器具の重量等に合わせて、第１取付部と第２取付部の取付位置の間隔を変更しても、連結部材の長さを変更するだけで連動させることが可能となる。従来のギアによる場合は、第１取付部と第２取付部の間隔が長くなれば、ギアが大きくなったり、ギアの数が増えたりするが、連結部材の長さを変更するだけで、同一部品を用いて連動させることが可能となる。
【００１２】
請求項３においては、安定部が、配線ダクトの開口部に挿入されることにより、配線ダクトに配線ダクト用プラグを取り付ける際に、ガイドとしての役割を果たし、取り付けが容易にできるとともに、開口部に凸状の安定部が嵌合されて、取り付け後の配線ダクト用プラグの安定性を向上させることができる。
【発明を実施するための最良の形態】
【００１３】
次に、発明の実施の形態を説明する。
先ず、図１から図６を用いて、配線ダクト用プラグの実施の一形態である配線ダクト用プラグ１の全体構成について説明する。なお、図に示す矢印Ａの方向を「前方向」、矢印Ａの反対方向を「後方向」とし、「前後方向」は、配線ダクト用プラグ１と配線ダクト９の長手方向に平行な方向とする。
【００１４】
照明器具８は、スポットライト等であって、灯具８１、アーム８２、配線ダクト用プラグ１により構成される。配線ダクト用プラグ１の下部には、アーム８２が水平方向に回動するように垂設され、アーム８２の下両端には、灯具８１が鉛直方向に回動するように枢支されている。照明器具８は、配線ダクト用プラグ１を介して、天井等に取り付けられている配線ダクト９に取り付けられ、照明器具８には、配線ダクト９、配線ダクト用プラグ１を介して電力が供給される。
【００１５】
配線ダクト９は、図５に示す如く、断面形状が略門型に形成され、ダクト開口部９０、取付溝９１・９１、導電線９２・９２、アース線９３、絶縁体９４からなる。
【００１６】
配線ダクト用プラグ１は、箱型に構成されたケース１０を備え、ケース１０の内部には、照明器具８の点灯装置（安定器）が収納されている。ケース１０の上面は、樹脂製のベース部１１であり、ベース部１１以外のケース１０は、金属製である。ベース部１１の上面の正面視略中央には、角柱状の安定部７が形成されている。安定部７は、断面形状が配線ダクト９のダクト開口部９０の断面形状より、若干小さく形成されている。ベース部１１の前部には、第１取付部２、ベース部１１の中途部で安定部７の内部には、第２取付部３が、それぞれ回動可能に取り付けられている。安定部７の両側面には、第２取付部３が回動して収納できるように、第２開口部１７・１７が設けられている。
【００１７】
第１取付部２と第２取付部３は、配線ダクト用プラグ１を配線ダクト９に取り付けるためのものであり、取付溝９１・９１に係止される第１爪部材２１と第２爪部材３１を備えている。第１取付部２には、操作部であるレバー６が一体的に設けられており、レバー６は、ケース１０の前面に設けられた第１開口部１６より前方に突出して配設されている。第１開口部１６に沿ってレバー６を正面視左右に摺動回動させることにより、第１取付部２を回動させることができる。
【００１８】
また、第１取付部２には、電気的接続部２３・２３が備えられている。電気的接続部２３・２３は、略Ｌ型の金属板であって、電気的接続部２３・２３の水平部分は、第１爪部材２１の上方に所定間隔をあけて端部が外向きとなるように配置され、電気的接続部２３・２３の垂直部分は、端部が連動プレートである第１円盤２０の中心から上方に立設した軸部の外面に配置されている。
レバー６の操作により、第１取付部２が回動して、第１爪部材２１が取付溝９１・９１に係止されるのと連動して、電気的接続部２３・２３の水平部分の端部が導電線９２・９２に接触し、電気的接続部２３・２３の垂直部分の端部がインバータの端子と接続して、照明器具８に電力が供給される。
【００１９】
詳細については後述するが、第１取付部２と第２取付部３は、第１連結部材４と第２連結部材５により連結されて、連動して回動するように構成されている。
【００２０】
また、配線ダクト用プラグ１には、安定部７の内部の第１取付部２と第２取付部３の略中央に、アース端子１２が配置されている。アース端子１２は、バネ１３により上方に付勢されており、バネ１３は、安定部７の内部にネジ１５により固定されたプレート１４の上面に配置されている。
配線ダクト用プラグ１を配線ダクト９に取り付けることにより、アース端子１２がアース線９３に押圧されて接続して、アースを取ることができる。また、バネ１３により上方に付勢されたアース端子１２を、第１取付部２と第２取付部３の略中央に配置することで、第１取付部２と第２取付部３により、アース端子１２をアース線９３に押圧する力が同等となり、アース端子１２をアース線９３に確実に接触させることができる。
【００２１】
次に、配線ダクト用プラグ１の配線ダクト９への取り付けに係わる機構について説明する。
【００２２】
配線ダクト９への取り付けに係わる機構は、第１取付部２、第２取付部３、第１連結部材４、第２連結部材５、レバー６からなる。
【００２３】
第１取付部２は、第１円盤２０、第１爪部材２１、固定部材２２からなり、第１円盤２０、第１爪部材２１、固定部材２２の中心にボルトを挿入してナットにより一体的に固定されている。第１取付部２は、ベース部１１の前部に設けられた孔の上面に係止されて、回動可能に取り付けられている。
【００２４】
第２取付部３は、第２円盤３０、第２爪部材３１、円筒部材３２からなる。第２取付部３は、第２円盤３０に円筒部材３２が立設され、円筒部材３２の中途部に第２爪部材３１が水平方向に固設されて構成されている。第２取付部３は、安定部７の内部に配置され、安定部７の上面に設けられた孔にネジにより、回動可能に取り付けられている。
【００２５】
図４に示す如く、第１円盤２０には、平面視円形の第１孔２０ａ・２０ａが設けられており、一方の第１孔２０ａと、他方の第１孔２０ａとは、第１円盤２０の中心、すなわち、第１取付部２の回動軸に対して対向し、かつ、対称な位置に設けられている。レバー６は、第１円盤２０の外周の一方の第１孔２０ａと他方の第１孔２０ａの中央に位置している。
また、第２円盤３０には、平面視円形の第２孔３０ａ・３０ａが設けられており、一方の第２孔３０ａと、他方の第２孔３０ａとは、第２円盤３０の中心、すなわち、第２取付部３の回動軸に対して対向し、かつ、対称な位置に設けられている。
そして、第１取付部２と第２取付部３は、第１孔２０ａ・２０ａと第２孔３０ａ・３０ａの位置や、第１爪部材２１と第２爪部材３１の方向を一致させてベース部１１に配置し、第１連結部材４、第２連結部材５により連結されているため、第１取付部２と第２取付部３の動作を同期させることができる。なお、連動プレートは、第１円盤２０、第１円盤２０のような、円盤状の部材に限定するものではなく、棒状部材等を用いることも可能である。
【００２６】
第１連結部材４と第２連結部材５は、樹脂製の棒状部材であり、第１連結部材４、第２連結部材５の両端には、円柱状の第１突起部４ａ・４ａ、第２突起部５ａ・５ａが設けられている。
第１連結部材４の両端の第１突起部４ａ・４ａが、第１孔２０ａの一方と第２孔３０ａの一方に係止され、第２連結部材５の両端の第２突起部５ａ・５ａが、第１孔２０ａの他方と第２孔３０ａの他方に係止される。
そして、第１突起部４ａ・４ａ、第２突起部５ａ・５ａの断面形状は、第１孔２０ａ・２０ａと第２孔３０ａ・３０ａの形状よりも、若干小さく形成されている。このため、第１突起部４ａ・４ａ、第２突起部５ａ・５ａに対して、第１孔２０ａ・２０ａと第２孔３０ａ・３０ａが回動するので、第１突起部４ａ・４ａ、第２突起部５ａ・５ａと第１孔２０ａ・２０ａ、第２孔３０ａ・３０ａが、第１取付部２、第２取付部３の回動を制動することはない。
また、ベース部１１の内側には、第１連結部材４と第２連結部材５が当接する突起状のストッパ１８・１８が設けられている。第１連結部材４と第２連結部材５が、ストッパ１８・１８に当接することにより、第１取付部２と第２取付部３が９０度より大きく回動しないように制動している。
【００２７】
このような構成において、レバー６を正面視左端から右端に摺動させると、第１取付部２が平面視反時計回りに９０度回動され、第１連結部材４は、前方から後方に第２取付部３を押し、第２連結部材５は、後方から前方に第２取付部３を引く。これらの動作が合わさって、第１取付部２に連動して第２取付部３も平面視反時計回りに９０度回動される。
反対に、レバー６を正面視右端から左端に摺動させると、第１取付部２を平面視時計回りに９０度回動され、第１連結部材４は、後方から前方に第２取付部３を引き、第２連結部材５は、前方から後方に第２取付部３を押す。これらの動作が合わさって、第１取付部２に連動して第２取付部３も平面視時計回りに９０度回動される。
【００２８】
そして、配線ダクト用プラグ１は、配線ダクト９に次のようにして取り付けられる。
まず、レバー６を第１開口部１６の左端に位置させて、第１爪部材２１と第２爪部材３１をダクト開口部９０の長手方向と平行な状態とし、安定部７を、ダクト開口部９０に挿入させる。そして、レバー６を第１開口部１６の右端に位置させることにより、第１取付部２と第２取付部３が連動して、平面視反時計回りに９０度回動し、第１爪部材２１と第２爪部材３１が、ダクト開口部９０の長手方向に垂直な状態となり、取付溝９１・９１に係止されて、取り付けることができる。
また、配線ダクト用プラグ１を配線ダクト９から取り外す場合は、レバー６を第１開口部１６の左端に位置させることにより、第１取付部２と第２取付部３が連動して、平面視時計回りに９０度回動し、第１爪部材２１と第２爪部材３１が取付溝９１・９１に係止された状態が解除されて、取り外すことができる。
【００２９】
なお、第１取付部２と第２取付部３の取付位置は、限定するものではなく、照明器具８の重量等によって、第１取付部２と第２取付部３の間隔を変更でき、この間隔に合わせて第１連結部材および第２連結部材の長さを変更する。そして、取付部の数も、限定するものではなく、増やすこともできる。取付部の個数が３個以上の場合は、連結部材の中途部にも突起部を設けて、取付部を係止することもできる。
また、本実施例では、第２取付部３のみを安定部７の内部に配置する構成としているが、第１取付部２と第２取付部３の両方を安定部７の内部に配置することにより、配線ダクト９に取り付け後の配線ダクト用プラグ１の安定性をより高めることができる。
【００３０】
また、第１連結部材４と第２連結部材５は、第１取付部２と第２取付部３を連結し、連動して回動させることができればよく、材質、形状および本数等は限定するものではない。例えば、第１連結部材４と第２連結部材５は、紐状の部材とすることもできる。また、連結部材の本数は、１本とすることもできる。１本の場合、２本の場合より、連結部材の断面形状の工夫や、連結部材の材質を金属等の強度の高いものにすること等により、連結部材の曲げ強度を強化する必要がある。
【００３１】
以上の如く、本実施例の配線ダクト用プラグ１は、配線ダクト９に取り付けられる第１取付部２と第２取付部３と、第１取付部２と第２取付部３とを回動操作するためのレバー６と、を備える配線ダクト用プラグ１において、第１取付部２は、配線ダクト９に係止するための第１爪部材２１と、第１爪部材２１と一体的に回動する第１円盤２０とを備え、第２取付部３は、配線ダクト９に係止するための第２爪部材３１と、第２爪部材３１と一体的に回動する第２円盤３０とを備え、第１取付部２の第１円盤２０と第２取付部３の第２円盤３０と間を第１連結部材４と第２連結部材５とで連結したものである。
このように構成することにより、照明器具８の重量等に合わせて、第１取付部２と第２取付部３の取付位置の間隔を変更しても、第１連結部材４および第２連結部材５の長さを変更するだけで連動させることが可能となる。従来のギアによる場合は、第１取付部２と第２取付部３の間隔が長くなれば、ギアが大きくなったり、ギアの数が増えたりするが、第１連結部材４および第２連結部材５の長さを変更するだけで、同一部品を用いて連動させることが可能となる。
そして、配線ダクト９に係止可能とする第１取付部２と第２取付部３と、第１取付部２と第２取付部３とを連動連結する棒状の第１連結部材４と第２連結部材５と、第１取付部２に取り付けられるレバー６と、を備えるものである。
このように構成することにより、照明器具８の重量等に合わせて、第１取付部２と第２取付部３の取付位置の間隔を変更しても、第１連結部材４および第２連結部材５の長さを変更するだけで連動させることが可能となる。従来のギアによる場合は、第１取付部２と第２取付部３の間隔が長くなれば、ギアが大きくなったり、ギアの数が増えたりするが、第１連結部材４および第２連結部材５の長さを変更するだけで、同一部品を用いて連動させることが可能となる。
また、配線ダクト用プラグ１の上部に、配線ダクト９のダクト開口部９０に挿入される凸状の安定部７を備え、安定部７の内部に、第２取付部３を配置するものである。
このように構成することにより、安定部７が、配線ダクト９のダクト開口部９０に挿入されることにより、配線ダクト９に配線ダクト用プラグ１を取り付ける際に、ガイドとしての役割を果たし、取り付けが容易にできるとともに、ダクト開口部９０に凸状の安定部７が嵌合されて、取り付け後の配線ダクト用プラグ１の安定性を向上させることができる。
【図面の簡単な説明】
【００３２】
【図１】配線ダクト用プラグの全体的な構成を示した斜視図。
【図２】配線ダクト用プラグの配線ダクトへの取り付けに係わる機構の斜視図。
【図３】配線ダクト用プラグの配線ダクトへの取り付けに係わる機構の側面図。
【図４】配線ダクト用プラグの配線ダクトへの取り付けに係わる機構の平面図。
【図５】配線ダクトの正面図。
【図６】配線ダクトに配線ダクト用プラグを取り付けた状態を示した正面図。
【符号の説明】
【００３３】
１    配線ダクト用プラグ
２    第１取付部
３    第２取付部
４    第１連結部材
５    第２連結部材
６    レバー
７    安定部
９    配線ダクト
２０    第１円盤
２１    第１爪部材
３０    第２円盤
３１    第２爪部材
９０    ダクト開口部
【図１】
0004629528.tif 000002
【図２】
0004629528.tif 000003
【図３】
0004629528.tif 000004
【図４】
0004629528.tif 000005
【図５】
0004629528.tif 000006
【図６】
0004629528.tif 000007